(57)【要約】【課題】車輪通過跡部分のみが時間経過とともに凹むのを防止できる農作業機を提供する。【解決手段】農作業機１は、トラクタ２に連結する機体５を備える。機体５には、回転軸体20を回転可能に設ける。回転軸体20の爪ホルダ22には耕耘爪23を取り付ける。回転軸体20の爪ホルダ22には螺旋爪24a，24b，24c，24dを取り付ける。螺旋爪24a，24b，24c，24dは、トラクタ２の車輪３の位置に応じて回転軸体20に対して左右方向に位置調整可能である。【選択図】図１
2010246469.tif 000002
【特許請求の範囲】
【請求項１】
走行車に連結される機体と、
この機体に回転可能に取り付けられた回転軸体と、
この回転軸体に取り付けられた複数の耕耘爪と、
前記回転軸体に取り付けられ、前記走行車の車輪の通過により盛り上がった土を車輪通過跡部分に戻す螺旋爪と
を備えることを特徴とする農作業機。
【請求項２】
螺旋爪は、走行車の車輪の位置に応じて回転軸体に対して左右方向に位置調整可能となっている
ことを特徴とする請求項１記載の農作業機。
【請求項３】
回転軸体は、回転軸およびこの回転軸の外周面に突設された複数の爪ホルダを有し、
耕耘爪は、前記複数の爪ホルダの各々に取り付けられ、
螺旋爪は、前記複数の爪ホルダのうち走行車の車輪の後方付近に位置する爪ホルダに取り付けられている
ことを特徴とする請求項１または２記載の農作業機。
【請求項４】
螺旋爪は、走行車の車輪の後方付近に位置する複数の爪ホルダの中から前記車輪の位置に応じて選択された爪ホルダに脱着可能に取り付けられている
ことを特徴とする請求項３記載の農作業機。
【請求項５】
螺旋爪は、螺旋方向一端部に一端取付部を有しかつ螺旋方向他端部に他端取付部を有し、
前記一端取付部が、前記複数の爪ホルダ体の中から車輪の位置に応じて選択された一の爪ホルダに脱着可能に取り付けられ、
前記他端取付部が、前記複数の爪ホルダ体の中から車輪の位置に応じて選択された他の爪ホルダに脱着可能に取り付けられている
ことを特徴とする請求項４記載の農作業機。
【請求項６】
爪ホルダは、第１孔および第２孔を有し、
耕耘爪は、第１取付用孔および第２取付用孔を有し、
螺旋爪は、取付用孔を有し、
前記爪ホルダの第１孔、前記耕耘爪の第１取付用孔および前記螺旋爪の取付用孔に第１ボルトが挿入されてこの第１ボルトに第１ナットが螺合され、
前記爪ホルダの第２孔および前記耕耘爪の第２取付用孔に第２ボルトが挿入されてこの第２ボルトに第２ナットが螺合されている
ことを特徴とする請求項３ないし５のいずれか一記載の農作業機。
【請求項７】
回転軸の端部付近に位置する爪ホルダに取り付けられ、土を内側方に向けて誘導する螺旋爪を備える
ことを特徴とする請求項３ないし６のいずれか一記載の農作業機。
【発明の詳細な説明】
【技術分野】
【０００１】
本発明は、車輪通過跡部分のみが時間経過とともに凹んでしまうことを防止できる農作業機に関する。
【背景技術】
【０００２】
従来、例えば下記の特許文献１に記載された農作業機が知られている。
【０００３】
この従来の農作業機は、走行車であるトラクタの後部に連結される機体と、機体に回転可能に設けられた回転軸と、回転軸に設けられた複数の爪ホルダと、各爪ホルダに取り付けられた耕耘爪とを備えている。
【先行技術文献】
【特許文献】
【０００４】
【特許文献１】特開２００３−３０４７１０号公報
【発明の概要】
【発明が解決しようとする課題】
【０００５】
しかしながら、上記従来の農作業機では、トラクタの車輪が通過した車輪通過跡部分（轍）は、土が車輪にて側方に押されて盛り上がる結果、他の部分に比べて土量が少なくなるため、車輪通過跡部分のみが時間経過とともに凹んでしまう問題がある。
【０００６】
本発明は、このような点に鑑みなされたもので、車輪通過跡部分のみが時間経過とともに凹んでしまうことを防止できる農作業機を提供することを目的とする。
【課題を解決するための手段】
【０００７】
請求項１記載の農作業機は、走行車に連結される機体と、この機体に回転可能に取り付けられた回転軸体と、この回転軸体に取り付けられた複数の耕耘爪と、前記回転軸体に取り付けられ、前記走行車の車輪の通過により盛り上がった土を車輪通過跡部分に戻す螺旋爪とを備えるものである。
【０００８】
請求項２記載の農作業機は、請求項１記載の農作業機において、螺旋爪は、走行車の車輪の位置に応じて回転軸体に対して左右方向に位置調整可能となっているものである。
【０００９】
請求項３記載の農作業機は、請求項１または２記載の農作業機において、回転軸体は、回転軸およびこの回転軸の外周面に突設された複数の爪ホルダを有し、耕耘爪は、前記複数の爪ホルダの各々に取り付けられ、螺旋爪は、前記複数の爪ホルダのうち走行車の車輪の後方付近に位置する爪ホルダに取り付けられているものである。
【００１０】
請求項４記載の農作業機は、請求項３記載の農作業機において、螺旋爪は、走行車の車輪の後方付近に位置する複数の爪ホルダの中から前記車輪の位置に応じて選択された爪ホルダに脱着可能に取り付けられているものである。
【００１１】
請求項５記載の農作業機は、請求項４記載の農作業機において、螺旋爪は、螺旋方向一端部に一端取付部を有しかつ螺旋方向他端部に他端取付部を有し、前記一端取付部が、前記複数の爪ホルダ体の中から車輪の位置に応じて選択された一の爪ホルダに脱着可能に取り付けられ、前記他端取付部が、前記複数の爪ホルダ体の中から車輪の位置に応じて選択された他の爪ホルダに脱着可能に取り付けられているものである。
【００１２】
請求項６記載の農作業機は、請求項３ないし５のいずれか一記載の農作業機において、爪ホルダは、第１孔および第２孔を有し、耕耘爪は、第１取付用孔および第２取付用孔を有し、螺旋爪は、取付用孔を有し、前記爪ホルダの第１孔、前記耕耘爪の第１取付用孔および前記螺旋爪の取付用孔に第１ボルトが挿入されてこの第１ボルトに第１ナットが螺合され、前記爪ホルダの第２孔および前記耕耘爪の第２取付用孔に第２ボルトが挿入されてこの第２ボルトに第２ナットが螺合されているものである。
【００１３】
請求項７記載の農作業機は、請求項３ないし６のいずれか一記載の農作業機において、回転軸の端部付近に位置する爪ホルダに取り付けられ、土を内側方に向けて誘導する螺旋爪を備えるものである。
【発明の効果】
【００１４】
請求項１に係る発明によれば、走行車の車輪の通過により盛り上がった土を車輪通過跡部分に戻す螺旋爪を備えるため、車輪通過跡部分の土量が他の部分に比べて少なくなるようなことがなく、車輪通過跡部分のみが時間経過とともに凹んでしまうことを防止できる。
【００１５】
請求項２に係る発明によれば、螺旋爪は走行車の車輪の位置に応じて回転軸体に対して左右方向に位置調整可能となっているため、大きさの異なる各種の走行車に適切に対応できる。
【００１６】
請求項３に係る発明によれば、走行車の車輪の後方付近に位置する爪ホルダに取り付けられた螺旋爪にて、走行車の車輪の通過により盛り上がった土を車輪通過跡部分に適切に戻すことができる。
【００１７】
請求項４に係る発明によれば、螺旋爪は走行車の車輪の後方付近に位置する複数の爪ホルダの中から車輪の位置に応じて選択された爪ホルダに脱着可能に取り付けられているため、螺旋爪を取り付ける爪ホルダを変更することにより、螺旋爪の位置調整を容易に行うことができる。
【００１８】
請求項５に係る発明によれば、螺旋爪の一端取付部を一の爪ホルダに取り付けかつ螺旋爪の他端取付部を他の爪ホルダに取り付けることにより、螺旋爪を適切に取り付けることができる。
【００１９】
請求項６に係る発明によれば、爪ホルダの第１孔、耕耘爪の第１取付用孔および螺旋爪の取付用孔に第１ボルトを挿入してこの第１ボルトに第１ナットを螺合しかつ爪ホルダの第２孔および耕耘爪の第２取付用孔に第２ボルトを挿入してこの第２ボルトに第２ナットを螺合することにより、爪ホルダに対して耕耘爪および螺旋爪を適切に取り付けることができる。
【００２０】
請求項７に係る発明によれば、走行車の車輪の後方付近に位置する爪ホルダに取り付けられた螺旋爪にて走行車の車輪の通過により盛り上がった土を車輪通過跡部分に適切に戻すことができるとともに、回転軸の端部付近に位置する爪ホルダに取り付けられた螺旋爪にて土を内側方に向けて誘導して土が外側方へ逃げるのを適切に抑制できる。
【図面の簡単な説明】
【００２１】
【図１】本発明の第１の実施の形態に係る農作業機の概略図である。
【図２】トラクタに合わせて螺旋爪の位置を調整した後の農作業機の概略図である。
【図３】左右両端の螺旋爪を示す農作業機の概略図である。
【図４】同上農作業機の動力伝達手段を示す一部断面図である。
【図５】同上農作業機の螺旋爪を示す斜視図である。
【図６】同上農作業機の部分背面図である。
【図７】螺旋爪の位置を調整した後の農作業機の部分背面図である。
【図８】走行車の車輪の通過により形成される車輪通過跡部分および盛土を示す図である。
【図９】本発明の第２の実施の形態に係る農作業機の要部側面図である。
【図１０】同上農作業機の要部正面図である。
【図１１】同上農作業機の耕耘爪の側面図である。
【図１２】本発明の第３の実施の形態に係る農作業機の要部側面図である。
【図１３】同上農作業機の要部正面図である。
【図１４】本発明の第４の実施の形態に係る農作業機の要部側面図である。
【図１５】同上農作業機の要部正面図である。
【図１６】本発明の第５の実施の形態に係る農作業機の概略図である。
【図１７】本発明の第６の実施の形態に係る農作業機の概略図である。
【発明を実施するための形態】
【００２２】
本発明の農作業機の第１の実施の形態を図面を参照して説明する。
【００２３】
図１ないし図４において、１は農作業機で、この農作業機１は、圃場を走行する走行車であるトラクタ２の後部に連結して使用する代掻作業機である。農作業機１は、トラクタ２の後部に連結された状態で、トラクタ２の前進走行により水田等の圃場を前方（図中、矢印方向）に移動しながら農作業である代掻作業（耕耘整地作業）をする。
【００２４】
トラクタ２は、トラクタ本体（図示せず）を備え、このトラクタ本体には前後左右で４本の車輪（タイヤ）３が設けられている。また、トラクタ本体には、図示しないが、３点リンク部（作業機昇降支持装置）およびＰＴＯ軸等が設けられている。
【００２５】
農作業機１は、トラクタ２の後部の３点リンク部に連結される機体５を備えている。機体５は、入力軸６を回転可能に支持するミッションケース等の軸保持部７を有し、入力軸６はジョイント等の動力伝達手段（図示せず）を介してトラクタ２のＰＴＯ軸に接続される。
【００２６】
軸保持部７は、左右方向長手状のフレーム部であるフレームパイプ部８の左右方向中央部に設けられている。フレームパイプ部８の一端部である左端部には伝動ケース部であるチェーンケース部９が設けられ、フレームパイプ部８の他端部である右端部には支持板部であるブラケット部10が設けられている。
【００２７】
そして、互いに離間対向する左右のチェーンケース部９およびブラケット部10間には、入力軸６に接続された動力伝達手段12から動力を受けて所定方向、例えばダウンカット方向に回転しながら耕耘作業をする耕耘手段である耕耘体11が回転可能に設けられている。
【００２８】
動力伝達手段12は、例えば軸保持部７内のギア14と、フレームパイプ部８内のシャフト15と、チェーンケース部９内のスプロケット16およびチェーン17とにて構成されている（図４参照）。
【００２９】
耕耘体11は、機体５に回転可能に取り付けられ動力伝達手段12からの動力で回転する左右方向長手状の回転軸21を有している。回転軸21の一端部である左端部がチェーンケース部９の下部によって回転可能に支持され、回転軸21の他端部である右端部がブラケット部10の下部によって回転可能に支持されている。回転軸21のうちチェーンケース部９内に位置する部分にスプロケット16が固着されている。
【００３０】
回転軸21の外周面には、それそれが同一形状の複数の爪ホルダ22が固定的に突設されている。複数の爪ホルダ22は、互いに間隔をおいて螺旋方向に沿って並ぶように回転軸21の外周面に設けられている。なお、回転軸21に設けられた複数の爪ホルダ22のうち、少なくともトラクタ２の車輪３の後方付近に位置する複数の爪ホルダ22は、互いに等間隔で規則正しく並んでいる。また、回転軸21および爪ホルダ22にて回転軸体（爪ホルダ付耕耘軸）20が構成されている。
【００３１】
そして、回転軸21に設けられた複数の爪ホルダ22の各々には、回転軸21とともに回転しながら耕耘作業をする正面視略Ｌ字状の耕耘爪（代掻爪）23が脱着可能に取り付けられている。つまり、全部の爪ホルダ22には、耕耘爪23がそれぞれ取り付けられている。
【００３２】
また、回転軸21に設けられた複数の爪ホルダ（全部の爪ホルダ）22のうち、トラクタ２の左右の車輪３の後方付近に位置する爪ホルダ（一部の爪ホルダ）22には、車輪３の通過により圃場面に盛り上がった土（図８に示す盛土ｂ）を凹状の車輪通過跡部分（轍）ａに向けて誘導してその車輪通過跡部分ａに戻す螺旋板形状の螺旋爪24a，24b，24c，24dが脱着可能に取り付けられている。つまり、螺旋爪24a，24b，24c，24dは、トラクタ２の車輪３の後方付近に位置する複数の爪ホルダ22の中から車輪３の位置（左右の車輪３間の距離）に応じて選択された爪ホルダ22に脱着可能に取り付けられている。
【００３３】
図１および図２に示されるように、進行方向左側の車輪３の後方付近に位置する爪ホルダ22に２つの螺旋爪24a，24bが取り付けられ、これら左右１対の螺旋爪24a，24bにて左側の車輪３の通過により盛り上がった左右両側の土が車輪通過跡部分ａに戻される。また、進行方向右側の車輪３の後方付近に位置する爪ホルダ22に２つの螺旋爪24c，24dが取り付けられ、これら左右１対の螺旋爪24c，24d にて右側の車輪３の通過により盛り上がった左右両側の土が車輪通過跡部分ａに戻される。
【００３４】
なお、図１に示すトラクタ２の左右の車輪３間の距離A1は、図２に示すトラクタ２の左右の車輪３間の距離A2に比べて長くなっており、螺旋爪24a，24b，24c，24dはこのような大きさの異なる各種のトラクタ２の車輪３の位置に応じて回転軸体20に対して左右方向に位置調整可能となっている。つまり車輪３の位置に応じて螺旋爪24a，24b，24c，24dを取り付ける爪ホルダ22を変更可能である。
【００３５】
さらに、回転軸21に設けられた複数の爪ホルダ（全部の爪ホルダ）22のうち、回転軸21の左右両端部付近に位置する爪ホルダ（一部の爪ホルダ）22には、土が外側方へ逃げるのを抑制するように土を内側方に向けて誘導する螺旋板形状の螺旋爪24e，24fが脱着可能に取り付けられている。
【００３６】
図３に示されるように、回転軸21の左端部付近に位置する爪ホルダ22に１つの螺旋爪24eが取り付けられ、この螺旋爪24eにて土が右内側方に向けて誘導される。また、回転軸21の右端部付近に位置する爪ホルダ22に１つの螺旋爪24fが取り付けられ、この螺旋爪24fにて土が左内側方に向けて誘導される。
【００３７】
ここで、螺旋爪24a，24c，24eは、それぞれが同一形状のもので、図５に示されるように、回転軸21の軸方向からみて略半円弧状をなす螺旋板形状のものある。そして、螺旋爪24a，24c，24eは、螺旋方向一端部に板状の一端取付部26を有し、かつ螺旋方向他端部に板状の他端取付部27を有している。つまり、螺旋爪24a，24c，24eは、螺旋板部25を有し、この螺旋板部25の一端部に一端取付部26が一体に設けられ、この螺旋板部25の他端部に他端取付部27が一体に設けられている。
【００３８】
また、螺旋爪24b，24d，24fは、上記螺旋爪24a，24c，24eとは螺旋方向が反対のものであり、上記螺旋爪24a，24c，24eと同様、螺旋板部25、一端取付部26および他端取付部27を有している。つまり螺旋爪24a，24c，24eが回転軸21とともに回転しながら土を右側方（一側方）に誘導するものであり、螺旋爪24b，24d，24fが回転軸21とともに回転しながら土を左側方（一側方とは反対の他側方）に誘導するものである。なお、一端取付部26および他端取付部27には取付用孔28が形成されている。
【００３９】
そして、螺旋爪24a，24b，24c，24d，24e，24fの一端取付部26が１つの一の爪ホルダ22に脱着可能に取り付けられ、螺旋爪24a，24b，24c，24d，24e，24fの他端取付部27が１つの他の爪ホルダ22に脱着可能に取り付けられている。つまり、２つの爪ホルダ22に対して１つの螺旋爪が取り付けられている。なお、図９から明らかなように、螺旋爪24a〜24fの外径寸法r1は、耕耘爪23の外径寸法r2より小さい。
【００４０】
爪ホルダ22は、図６および図７に示されるように、略筒状のホルダ本体部31を有している。そして、所望の爪ホルダ22のホルダ本体部31に耕耘爪23および螺旋爪24a〜24fが取付手段を構成するボルト32およびナット33にて共締めされて取り付けられている。
【００４１】
ホルダ本体部31は、互いに離間対向する対向板34を有し、これら両対向板34間に耕耘爪23の基端部が嵌入されている。両対向板34には孔35，36が形成され、一方の孔35は他方の孔36より大きく、この一方の孔35内にボルト32の頭部32aが収容されている。耕耘爪23の基端部には取付用孔37が形成されている。そして、互いに一致したホルダ本体部31の孔35，36、耕耘爪23の取付用孔37および螺旋爪24a〜24fの取付用孔28にボルト32が挿入されてこのボルト32にナット33が螺合され、このナット33の螺合により耕耘爪23および螺旋爪24a〜24fがホルダ本体部31に取り付けられている。なお、耕耘体11は、回転軸体20、耕耘爪23および螺旋爪24a〜24fにて構成されている。
【００４２】
一方、機体５は、図示しないが、耕耘体11の上方部を覆う耕耘カバー部を有し、この耕耘カバー部の後端部には耕耘体11の後方で圃場面に追従するように上下回動しながら整地作業つまり圃場面を均平にならす作業をする整地体（図示せず）が設けられている。整地体は、例えば第１整地板（均平板）および第２整地板（レーキ）等にて構成されている。
【００４３】
次に、上記農作業機１の作用等を説明する。
【００４４】
トラクタ２の走行により農作業機１が進行方向に移動すると、耕耘爪23が回転軸21とともに所定方向に回転し、耕耘作業をする。
【００４５】
また、螺旋爪24a，24b，24c，24dが回転軸21とともに所定方向に回転し、車輪３の通過により圃場面に盛り上がった土（図８に示す盛土ｂ）を凹状の車輪通過跡部分ａに向けて誘導し、その結果、圃場面に形成された車輪通過跡部分ａの凹みがなくなる。
【００４６】
さらに、螺旋爪24e，24fが回転軸21とともに所定方向に回転し、土を内側方に向けて誘導し、その結果、土が機体５の左右両端から外側方へ逃げることが抑制される。
【００４７】
そして、このような農作業機１によれば、トラクタ２の車輪３の通過により圃場面上に盛り上がった土を凹部である車輪通過跡部分ａに戻す４つの螺旋爪24a，24b，24c，24dを備えるため、車輪通過跡部分ａの土量が他の部分に比べて少なくなるようなことがなく、圃場面の土量が均一になり、よって、車輪通過跡部分ａのみが水に対する土の比率が少なく土が沈殿することによって時間経過とともに凹んでしまうことを防止でき、均平性の向上を図ることができ、仕上げ均平度を高めることができる。
【００４８】
また、螺旋爪24a，24b，24c，24dは、取り付ける爪ホルダ22の選択変更によりトラクタ２の車輪３の位置に応じて回転軸体20に対して左右方向に位置調整可能となっているため、大きさが異なる各種のトラクタに適切に対応できる。
【００４９】
さらに、トラクタ２の車輪３の後方付近に位置する爪ホルダ22に取り付けられた螺旋爪24a，24b，24c，24dにてトラクタ２の車輪３の通過により盛り上がった土を車輪通過跡部分ａに適切に戻すことができるとともに、回転軸21の左右両端部付近に位置する爪ホルダ22に取り付けられた螺旋爪24e，24fにて土を内側方に向けて誘導して土が機体５の端部から外側方へ逃げるのを適切に抑制でき、よって、均平性の向上をより一層図ることができ、仕上げ均平度を更に高めることができる。
【００５０】
なお、上記第１の実施の形態では、耕耘爪23および螺旋爪24a〜24fが爪ホルダ22のホルダ本体部31にボルト32およびナット33にて共締めされて脱着可能に取り付けられた構成について説明したが、例えば図９および図１０に示すように、第１取付手段を構成する第１ボルト51および第１ナット52と第２取付手段を構成する第２ボルト53および第２ナット54とによって、耕耘爪23および螺旋爪24a〜24fが爪ホルダ22のホルダ本体部31に脱着可能に取り付けられた構成でもよい。
【００５１】
図９および図１０に示すホルダ本体部31の対向板34には第１孔（貫通孔）41，42および第２孔（貫通孔）43，44が貫通して形成されている。一方の第２孔44は他方の第２孔43より大きく、この一方の第２孔44内に第２ボルト53の頭部53aの全体が収容されている。図１１に示されるように、耕耘爪23の基端部には、第１取付用孔46および第２取付用孔47が形成されている。第１取付用孔46が第２取付用孔47よりも耕耘爪23の基端寄りに位置する。
【００５２】
そして、互いに一致したホルダ本体部31の第１孔41，42、耕耘爪23の第１取付用孔46および螺旋爪24a〜24fの取付用孔28に第１ボルト51が挿入されてこの第１ボルト51に第１ナット52が螺合され、この第１ナット52の螺合により耕耘爪23および螺旋爪24a〜24fがホルダ本体部31に取り付けられている。また、互いに一致したホルダ本体部31の第２孔43，44および耕耘爪23の第２取付用孔47に第２ボルト53が挿入されてこの第２ボルト53に第２ナット54が螺合され、この第２ナット54の螺合により耕耘爪23がホルダ本体部31に取り付けられている。
【００５３】
こうして耕耘爪23が爪ホルダ22のホルダ本体部31に対して第１ボルト51および第２ボルト53等にて２箇所で固定的に取り付けられているため、上記共締の構成に比べて、耕耘爪23を爪ホルダ22に安定的に固定できるとともに、第１ボルト51および第２ボルト53等にかかる負荷を軽減でき、耐久性の向上を図ることができる。
【００５４】
また、例えば図１２および図１３に示すように、爪ホルダ22のホルダ本体部31に板状の螺旋爪用取付部61が一体に設けられ、この爪ホルダ22の螺旋爪用取付部61に螺旋爪24a〜24fが取付手段を構成するボルト62およびナット63にて脱着可能に取り付けられた構成でもよい。
【００５５】
さらに、例えば図１４および図１５に示すように、爪ホルダ22とは別体の螺旋爪用取付部である螺旋爪用取付板71が回転軸21の外周面に突設され、この螺旋爪用取付板71に螺旋爪24a〜24fが取付手段を構成するボルト72およびナット73にて脱着可能に取り付けられた構成でもよい。
【００５６】
また、例えば図１６や図１７に示すような３分割式の折り畳み可能な農作業機１にも適用可能である。
【００５７】
図１６に示す農作業機１は、中央作業部76とこの中央作業部76の左右両端部に軸78を中心として回動可能に設けられた延長作業部77とを備え、中央作業部76の回転軸体20の左右両端側に螺旋爪24a，24b，24c，24dが取り付けられ、延長作業部77の回転軸体20の外端側に螺旋爪24e，24fが取り付けられている。
【００５８】
図１７に示す農作業機１は、中央作業部76とこの中央作業部76の左右両端部に回動可能に設けられた延長作業部77とを備え、中央作業部76の回転軸体20の左右両端側に螺旋爪24b，24cが取り付けられ、延長作業部77の回転軸体20の内端側に螺旋爪24a，24dが取り付けられ、延長作業部77の回転軸体20の外端側に螺旋爪24e，24fが取り付けられている。
【００５９】
また一方、農作業機１は、６つの螺旋爪24a，24b，24c，24d，24e，24fを備える構成には限定されず、例えば４つの螺旋爪24a，24b，24c，24dのみを備える構成や、２つの螺旋爪24a，24dのみを備える構成等でもよい。
【００６０】
また、例えば螺旋爪を全部の爪ホルダ22に対して取り付けることができるように、全部の爪ホルダ22を回転軸21の外周面に互いに等間隔で規則正しく並設してもよい。
【００６１】
さらに、螺旋爪は、略１８０度の螺旋形状には限定されず、例えば略１８０未満のもの等でもよい。
【符号の説明】
【００６２】
１    農作業機
２    走行車であるトラクタ
３    車輪
５    機体
20    回転軸体
21    回転軸
22    爪ホルダ
23    耕耘爪
24a，24b，24c，24d，24e，24f    螺旋爪
26    一端取付部
27    他端取付部
28    取付用孔
41，42    第１孔
43，44    第２孔
46    第１取付用孔
47    第２取付用孔
51    第１ボルト
52    第１ナット
53    第２ボルト
54    第２ナット
ａ    車輪通過跡部分
【図１】
2010246469.tif 000003
【図２】
2010246469.tif 000004
【図３】
2010246469.tif 000005
【図４】
2010246469.tif 000006
【図５】
2010246469.tif 000007
【図６】
2010246469.tif 000008
【図７】
2010246469.tif 000009
【図８】
2010246469.tif 000010
【図９】
2010246469.tif 000011
【図１０】
2010246469.tif 000012
【図１１】
2010246469.tif 000013
【図１２】
2010246469.tif 000014
【図１３】
2010246469.tif 000015
【図１４】
2010246469.tif 000016
【図１５】
2010246469.tif 000017
【図１６】
2010246469.tif 000018
【図１７】
2010246469.tif 000019